(57)【特許請求の範囲】
【請求項１】
複数の移動ラックが、レールに沿って走行自在に設けられる一方、前記移動ラックの上方に、ラック走行方向に沿って延びる転倒防止バーが配置され、前記移動ラックの上端面に固定される上端ガイド部材が、前記転倒防止バーにスライド自在に設けられて、前記移動ラックのレール走行に伴って、前記上端ガイド部材が前記転倒防止バーに沿ってスライド移動するよう構成された移動ラック装置において、
前記転倒防止バーにおける隣り合う移動ラックの各上端ガイド部材間に弾性を有する緩衝部材がスライド自在に設けられ、
隣り合う移動ラックが互いに近接する方向に走行する際に、隣り合う移動ラックの各上端ガイド部材間に前記緩衝部材が介在されて圧縮変形されることにより、移動ラックの走行エネルギーが吸収されるよう構成され、
前記緩衝部材が、前記転倒防止バーに外嵌されるコイルばねをもって構成され、
前記コイルばねの両側に、前記転倒防止バーに外嵌される略リング状の固定部材および受止部材が設けられ、ガイドねじの軸部が前記受止部材のねじ挿通孔にスライド自在に挿入されて前記固定部材に固定され、前記コイルばねの伸縮時には、前記受止部材が前記ガイドねじに対しスライドしてガイドされるように構成されることを特徴とする移動ラック装置。
【請求項２】
前記緩衝部材が、隣り合う移動ラックの各上端ガイド部材のいずれか一方に固定されてなる請求項１記載の移動ラック装置。
【発明の詳細な説明】
【０００１】
【発明の属する技術分野】
この発明は、レール上に移動ラックが走行自在に設けられた移動ラック装置に関する。
【０００２】
【従来の技術】
従来、床面に敷設されたレール上に、複数の移動ラックが走行自在に設けられて、移動ラックを適宜移動させて、所望の移動ラックに対し書物等の出し入れを行うことにより、省スペースかつ高い収納率を得ることができるようにした移動ラック装置が周知である。
【０００３】
移動ラック装置には、レールの端部にエンドストッパーが設けられており、端部に配置された移動ラックが、レール端部に向けて走行した際に、移動ラックの車輪がエンドストッパーに係止されることにより、移動ラックの走行が停止されるよう構成されている。
【０００４】
このような移動ラック装置において、通常の操作、例えば作業者が手動により移動ラックを端部に向けて走行させてエンドストッパーに衝突させたとしても、その衝突は軽微なもので、特に問題が生じるようなことはないが、大きい地震等が発生して、移動ラックが揺れ動いて、端部に向かって勢い良く走行するような場合には、移動ラックの車輪がエンドストッパーに激しく衝突し、移動ラックが大きく揺れ動いて、収納物が落下したり、場合によっては移動ラックが転倒してしまうことがある。
【０００５】
このため、レールにおけるエンドストッパーの手前に、ばね等の弾性を有する緩衝部材を設けて、移動ラックが端部に向けて勢い良く走行した際に、移動ラックを緩衝部材に当接させて、緩衝部材を弾性変形させてラックの走行エネルギーを吸収することにより、移動ラックのエンドストッパーへの衝突を防止するようにした移動ラック装置の緩衝装置が開発されている（実用新案登録番号第２５５６５７９号等）。
【０００６】
【発明が解決しようとする課題】
しかしながら、上記従来の移動ラック装置の緩衝装置は、緩衝部材をレールに設けて、移動ラックの車輪位置、つまり移動ラックの下端位置に緩衝部材を当接させるものであるため、移動ラックの下端位置が緩衝部材に当接した際に、当接位置を支点として、移動ラックの上部が揺れ動いてしまい、収納物の落下や、ラックの転倒を来す恐れがあり、未だ改良の余地が残されているのが現状である。
【０００７】
この発明は、上記従来技術の問題を解消し、地震の振動等によって、移動ラックが勢い良く走行しようとも、その走行エネルギーを効率良く吸収できて、ラックの揺れを防止でき、収納物の落下やラック自体の転倒をより確実に防止することができる移動ラック装置を提供することを目的とする。
【０００８】
【課題を解決するための手段】
上記目的を達成するため、この発明は、移動ラックが、レールに沿って走行自在に設けられる一方、前記移動ラックの上方に、ラック走行方向に沿って延びる転倒防止バーが配置され、前記移動ラックの上端面に固定される上端ガイド部材が、前記転倒防止バーにスライド自在に設けられて、前記移動ラックのレール走行に伴って、前記上端ガイド部材が前記転倒防止バーに沿ってスライド移動するよう構成された移動ラック装置において、前記転倒防止バーの一端に、そのバーよりも径大なバー端具が設けられ、前記転倒防止バーにおける前記上端ガイド部材と前記バー端具との間に弾性を有する緩衝部材がスライド自在に設けられ、前記移動ラックが、前記転倒防止バーの一端側に向けて走行する際に、前記上端ガイド部材と前記バー端具との間に前記緩衝部材が介在されて圧縮変形されることにより、前記移動ラックの走行エネルギーが吸収されるよう構成されてなるものを要旨としている。
【０００９】
本発明の移動ラック装置においては、地震の震動等によって、移動ラックがバー端具側に向かって勢い良く走行した際に、移動ラックの上端部が緩衝部材に当接するものである。このように移動ラックの上端部において、ラックの走行エネルギーが吸収されるものであるため、移動ラック上部の揺れを有効に防止でき、ラックがその下端がエンドストッパー等に係止して転倒するようなことはない。
【００１０】
本発明においては、前記緩衝部材が、前記上端ガイド部材及び前記バー端具のいずれか一方に固定されてなる構成を採用するのが好ましい。
【００１１】
すなわちこの構成を採用する場合、緩衝部材が、移動ラック及びバー端具間の中間における不格好な位置に配置されるのを防止することができる。
【００１２】
一方、本発明は、複数の移動ラックが、レールに沿って走行自在に設けられる一方、前記移動ラックの上方に、ラック走行方向に沿って延びる転倒防止バーが配置され、前記移動ラックの上端面に固定される上端ガイド部材が、前記転倒防止バーにスライド自在に設けられて、前記移動ラックのレール走行に伴って、前記上端ガイド部材が前記転倒防止バーに沿ってスライド移動するよう構成された移動ラック装置において、前記転倒防止バーにおける隣り合う移動ラックの各上端ガイド部材間に弾性を有する緩衝部材がスライド自在に設けられ、隣り合う移動ラックが互いに近接する方向に走行する際に、隣り合う移動ラックの各上端ガイド部材間に前記緩衝部材が介在されて圧縮変形されることにより、移動ラックの走行エネルギーが吸収される構成されてなるものを要旨としている。
【００１３】
この発明においては、隣り合うラックが互いに近接する方向に勢い良く走行した際に、緩衝部材によって走行エネルギーが吸収されるため、ラック同士の衝突を防止でき、その衝突によるラックの揺動や転倒を防止することができる。
【００１４】
更に本発明においては、前記緩衝部材が、隣り合う移動ラックの各上端ガイド部材のいずれか一方に固定されてなる構成を採用するのが良い。
【００１５】
すなわちこの構成を採用する場合には、緩衝部材が、ラック間の中間における不格好な位置に配置されるのを防止することができる。
【００１６】
また本発明においては、緩衝部材として、コイルばねを用いることにより、上記走行エネルギーをより効果的に吸収することができる。
【００１７】
すなわち本発明においては、前記緩衝部材が、前記転倒防止バーに外嵌されるコイルばねをもって構成されてなるものを採用するのが望ましい。
【００１８】
【発明の実施の形態】
図１はこの発明の実施形態である移動ラック装置を示す斜視図、図２はそのラック装置の側面図である。両図に示すように、この移動ラック装置は、設置面としての床面上に、一対のレール（１）が敷設されており、レール（１）の後端に固定状態に取り付けられる固定ラック（５）と、レール（１）に沿って走行自在に設けられる複数の移動ラック（１０）とを備えている。なお、以下の説明においては、発明の理解を容易にするため、レール（１）の敷設方向（長さ方向）を前後方向として説明する。
【００１９】
各ラック（５）（１０）の内部には、複数の棚板（６）が所定の間隔おきに取り付けられており、固定ラック（５）の前面開口部、及び移動ラック（１０）の前後両面開口部を介して、各棚板（６）に対し、書籍等の収納物の出し入れを行えるよう構成されている。
【００２０】
また移動ラック（１０）にはその底壁の両側前後に車輪（１１）が回転自在に設けられ、各車輪（１１）がレール（１）上に載置されることにより、各移動ラック（１０）のレール走行が行われるよう構成されている。
【００２１】
更にレール（１）の前端（一端）には、前端に配置される移動ラック（１０）の車輪（１１）に当接係止することによって、移動ラック（１０）の走行を停止させるためのエンドストッパー（２）が取り付けられている。
【００２２】
また移動ラック（１０）の側面には、ハンドル（１２）が設けられており、このハンドル（１２）を回転操作することにより、前後いずれかの車輪（１１）が回転駆動して、移動ラック（１０）が前後に走行するよう構成されている。
【００２３】
一方図２に示すように、固定ラック（５）の上端面中央には、その前後にバー支持部材（２１）が固定されるとともに、その支持部材（２１）に転倒防止バー（４０）の後端部が支持されることによって、転倒防止バー（４０）が、各ラック（５）（１０）の上方中央に前後方向に沿って配置される。
【００２４】
図２及び図７に示すように、転倒防止バー（４０）の前端（一端）には、そのバー（４０）よりも径大な円形のエンドプレート（４１）がねじ（４２）によって固定されている。
【００２５】
各移動ラック（１０）の上端面中央には、転倒防止バー（４０）に対応して、上端ガイド部材（３０）が前後に取り付けられている。
【００２６】
図２ないし図６に示すように、上端ガイド部材（３０）は、平面視コ字状のブラケット（３１）を具備しており、そのブラケット（３１）における中間壁の中央にバー挿通口（３２）が形成されている。更にブラケット（３１）におけるバー挿通口（３２）の上下位置には、ブラケット（３１）の両側壁間に架け渡されるようにして一対のコロ（３３）が回転自在に取り付けられている。
【００２７】
この上端ガイド部材（３０）が、上記したように、各移動ラック（１０）における上端面中央の前後位置に固定されており、転倒防止バー（４０）がバー挿通口（３２）及び一対のコロ（３３）間に挿入されて、一対のコロ（３３）が転倒防止バー（４０）に対し転がり接触するよう構成される。これにより、移動ラック（１０）のレール走行に伴って、上端ガイド部材（３０）が転倒防止バー（４０）に沿ってスライドするよう構成されるとともに、上端ガイド部材（３０）が転倒防止バー（４０）に係止することによって、移動ラック（１０）の転倒が有効に防止されるよう構成されている。
【００２８】
一方、図２ないし図７に示すように、転倒防止バー（４０）におけるラック（５）（１０）の各間等に設けられる緩衝装置（５０）は、緩衝部材としてのコイルばね（５５）と、ばね（５５）の両側に互いに対向状態に配置される固定部材（５１）及び受止部材（５２）とを基本的な構成要素として備えている。
【００２９】
固定部材（５１）及び受止部材（５２）は、略リング状ないしは円筒状の形状を有し、中央に転倒防止バー（４０）を挿入し得るバー挿通孔（５１ａ）（５２ａ）がそれぞれ形成されている。更に両部材（５１）（５２）のバー挿通孔（５１ａ）における対向面側の端部には、コイルばね（５５）の両端を嵌合し得るばね嵌合段部（５１ｂ）（５２ｂ）が形成されている。
【００３０】
また図８に示すように、受止部材（５２）の外端面側には、バー挿通孔（５２ａ）の外周４箇所に、ガイドねじ収容凹部（５２ｃ）が形成されるとともに、各収容凹部（５２ｃ）の底部には、受止部材（５２）の対向端面に連通するガイドねじ挿通孔（５２ｄ）が形成されている。
【００３１】
そして、固定部材（５１）及び受止部材（５２）の各ばね嵌合段部（５１ｂ）（５２ｂ）にコイルばね（５５）の両端が嵌合係止されるようにして、両部材（５１）（５２）間にコイルばね（５５）が配置された状態で、ガイドねじ（５３）がその頭部がガイドねじ収容凹部（５２ｃ）内にスライド自在に収容されるとともに、軸部がガイドねじ挿通孔（５２ｄ）にスライド自在に挿通されて固定部材（５１）の対向端面側にねじ止め固定される。
【００３２】
これにより、受止部材（５２）が固定部材（５１）側に押された際には、ばね（５５）が弾性圧縮変形するとともに、その押込が解除された際には、ばね（５５）が弾性復元して元の状態に復帰するよう構成される。更にその伸縮時には、受止部材（５２）がガイドねじ（５３）に対しスライドしてガイドされることにより、コイルばね（５５）が軸心方向に沿って正確に伸縮するよう構成されている。
【００３３】
この緩衝装置（５０）が、転倒防止バー（４０）における各ラック（５）（１０）間と、前端の移動ラック（１０）及びエンドプレート（４１）間とに外嵌状態に取り付けられる。
【００３４】
すなわち緩衝装置（５０）の両部材（５１）（５２）及びコイルばね（５５）が、そのバー挿通孔（５１ａ）（５２ａ）内に転倒防止バー（４０）が挿入されるようにして、バー（４０）に外嵌された状態で、固定部材（５１）が、上端ガイド部材（３０）又はエンドプレート（４１）にねじ（５４）を介して固定される。
【００３５】
なお言うまでもなく、緩衝装置（５０）の取付手順は、限定されるものではなく、例えば固定部材（５１）をバー（４０）に通して上端ガイド部材（３０）等にねじ止めしてから、その固定部材（５１）に、ばね（５５）や受止部材（５２）を組み付けるようにしても良く、また両部材（５１）（５２）及びばね（５５）を先に組み付けてから、この組付品をバー（４０）に通して上端ガイド部材（３０）等に組み付けるようにしても良い。
【００３６】
一方、本実施形態において、各移動ラック（１０）には、図示しないロック機構及びロック解除機構が設けられており、移動ラック（１０）を移動操作する場合等、必要時以外には、ロック機構により、不本意なラック移動を阻止できるよう構成されるとともに、地震等により振動が生じると、ロック解除機構によりロックが解除されて、自由走行状態となり、その自由走行により地震時の振動エネルギーを吸収できるよう構成されている。
【００３７】
以上の構成の移動ラック装置において、地震の振動により、例えば前端の移動ラック（１０）が前方へ向かって勢い良く走行した際には、その移動ラック（１０）の上端面前部に設けられた上端ガイド部材（３０）が、転倒防止バー（４０）のエンドプレート（４１）に固定された緩衝装置（５０）の受止部材（５２）に当接して受止部材（５２）が固定部材（５１）側に押し込まれる。このとき、コイルばね（５５）が弾性圧縮変形することにより、移動ラック（１０）の前方への走行エネルギーが効率良くスムーズに吸収されて、ラック（１０）の前方への走行が停止された後、コイルばね（５５）の弾性反発力によって、移動ラック（１０）が押し戻されて後方へ緩やかに走行していく。これにより、移動ラック下端の車輪（１１）がレール端部のエンドストッパー（２）に衝突するのが防止されて、ラック（１０）が大きく揺れ動いて収納物が落下したり、ラック（１０）が転倒するのを確実に防止することができる。
【００３８】
また前後に隣り合う移動ラック（１０）が互いに近接する方向に向かって勢い良く走行した際には、一方側（前方側）の移動ラック（１０）に固定された緩衝装置（５０）の受止部材（５２）に、他方側（後方側）の移動ラック（１０）の前側の上端ガイド部材（３０）が当接し、受止部材（５２）が固定部材（５１）側に押し込まれる。このとき、上記と同様に、コイルばね（５５）が圧縮弾性変形することにより、両ラック（１０）の相向かう方向への走行エネルギーが効率良くスムーズに吸収されて、ラック（１０）間の衝突が防止された後、コイルばね（５５）の弾性反発力によって、両ラック（１０）が互いに離間する方向へ緩やかに走行していく。
【００３９】
なお、後端に配置される移動ラック（１０）が、後方に向かって、つまり固定ラック（５）に向かって、勢い良く走行した際においても、移動ラック（１０）に設けられた緩衝装置（５０）によって、走行エネルギーが効率良くスムーズに吸収されて、固定ラック（５）及び移動ラック（１０）間の衝突が防止される。
【００４０】
以上のように、本実施形態の移動ラック装置によれば、移動ラック（１０）の上方に配置される転倒防止バー（４０）に、緩衝装置（５０）を取り付けるものであるため、地震の震動による移動ラック（１０）の走行エネルギーが移動ラック（１０）の上端部において吸収されて、移動ラック（１０）の下端を支点とする揺動を防止することができる。このため例えば、移動ラック（１０）がその下端がエンドストッパーや緩衝装置に係止して、揺動したり転倒するのを確実に防止することができる。
【００４１】
更に本実施形態においては、ラック（５）（１０）間と、移動ラック（１０）及びエンドプレート（４１）間とに配置される緩衝装置（５０）をいずれか一方側に固定するものであるため、ばね（５５）等の緩衝装置（５０）がラック間や、移動ラック（１０）及びエンドプレート（４１）間における中間の不格好な位置に配置されるのを防止でき、美観を向上させることができる。
【００４２】
【発明の効果】
以上のように、この発明の移動ラック装置によれば、移動ラック上方に配置される転倒防止バーにおける移動ラックと転倒防止バーの端具との間にコイルばね等の緩衝部材を配置するものであるため、地震の震動等によって、移動ラックがバー端具側に向かって勢い良く走行した際に、移動ラックの上端部が緩衝部材に当接して緩衝部材が弾性変形することにより、ラックの走行エネルギーが吸収されるので、移動ラックが大きく揺動したり転倒するのを確実に防止することができるという効果がある。
【００４３】
また、本発明の移動ラック装置によれば、隣り合う移動ラック間に緩衝部材を配置しているため、隣り合うラックが互いに近接する方向に勢い良く走行した際に、緩衝部材によって走行エネルギーが吸収されるため、ラック同士の衝突を防止でき、その衝突によるラックの揺動や転倒を防止することができるという効果がある。
【００４４】
また、本発明において、緩衝部材を移動ラック等に固定する場合には、緩衝部材がラック間における中間の不格好な位置に配置されることがなく、美観を向上させることができるという利点がある。
【図面の簡単な説明】
【図１】この発明の実施形態である移動ラック装置を示す斜視図である。
【図２】実施形態の移動ラック装置を示す側面図である。
【図３】実施形態の移動ラック装置における上端ガイド機構をその一部を分解して示す斜視図である。
【図４】実施形態の移動ラック装置における緩衝装置周辺を示す平面図である。
【図５】実施形態の移動ラック装置における緩衝装置周辺を示す側面断面図である。
【図６】実施形態の移動ラック装置における上端ガイド部材周辺を示す正面断面図である。
【図７】実施形態の移動ラック装置における転倒防止バーのエンドプレート周辺を分解して示す斜視図である。
【図８】実施形態の移動ラック装置の緩衝装置に適用された受止部材を示す図であって、同図（ａ）は正面図、同図（ｂ）は同図（ａ）のＢ−Ｂ線断面図である。
【符号の説明】
１…レール
２…レールエンドストッパー
１０…移動ラック
３０…上端ガイド部材
４０…転倒防止バー
４１…エンドプレート（バー端具）
５５…コイルばね（緩衝部材）
【図１】
0004515621.tif 000002
【図２】
0004515621.tif 000003
【図３】
0004515621.tif 000004
【図４】
0004515621.tif 000005
【図５】
0004515621.tif 000006
【図６】
0004515621.tif 000007
【図７】
0004515621.tif 000008
【図８】
0004515621.tif 000009